(57)【要約】      （修正有）【課題】竹製柱体の多様化組み立て構造を提供する。【解決手段】竹材により、それぞれ、異なる数量の象限領域を有する十字型柱体１Ａ、Ｌ字型柱体、および、Ｔ字型柱体製造し、複数の定位板２を十字型柱体、Ｌ字型柱体、或いは、Ｔ字型柱体の象限領域内に固定して、層板を支承する柱体を構成する。【選択図】図１
0003152820.tif 000002
【実用新案登録請求の範囲】
【請求項１】
竹製柱体の多様化組み立て構造であって、竹材により、それぞれ、異なる数量の象限領域を有する十字型柱体、L字型柱体、および、T字型柱体、を製造し、複数の定位板を前記十字型柱体、L字型柱体、或いは、T字型柱体の前記象限領域内に固定して、層板を支承する柱体を構成することを特徴とする竹製柱体の多様化組み立て構造。
【請求項２】
前記十字型柱体の象限領域は方形の定位板を組み合わせることを特徴とする請求項１に記載の竹製柱体の多様化組み立て構造。  
【請求項３】
前記L字型柱体の象限領域は方形定位板か三角形定位板を組み合わせることを特徴とする請求項１に記載の竹製柱体の多様化組み立て構造。
【考案の詳細な説明】
【技術分野】
【０００１】
本考案は、竹材で製造され、多様な組み合わせで、層板を支承する柱体構造に関するものである。
【背景技術】
【０００２】
現在、竹材や木材により製造した置物棚は、多くが、柱体と層板とからなる。層板は、一層ずつ各柱体の間に装着され、柱体が置物棚の重量を支承する。層板は物品を放置するのに用いられる。層板と柱体の装着構造は、ねじにより層板を、端面が方形である複数の柱体間に鎖固するので、組み立て後の置物棚は立方体の造形にしかできず、必要に応じて多様な置物棚に組み立てることができない。
【考案の概要】
【考案が解決しようとする課題】
【０００３】
本考案は、公知の置物棚を構成する柱体が単一形式であり、単一形態の置物棚にしか組み立てられない問題を解決することを目的とする。
【課題を解決するための手段】
【０００４】
本考案は、竹製柱体の多様化組み立て構造を提供し、複数の異なる端面形状を提供して、異なる象限数量の柱体を構成し、象限内に、実際の需要に応じて、異なる数量の定位板を固定し、使用者は、実際の需要に応じて、これらの柱体を各種配列にして組み合わせて、置物棚の柱体骨組みを構成し、その後、層板を同一水平位置の定位板上に設置して、多様な置物棚を構成する。
本考案によると、竹材により、それぞれ、異なる数量の象限領域を有する十字型柱体、L字型柱体、および、T字型柱体、を製造し、複数の定位板を十字型柱体、L字型柱体、或いは、T字型柱体の象限領域内に固定して、層板を支承する柱体を構成する。
【考案の効果】
【０００５】
本考案により、公知の置物棚を構成する柱体が単一形式であり、単一形態の置物棚にしか組み立てられない問題を解決し、必要に応じて多様な置物棚に組み立てることができる。
【図面の簡単な説明】
【０００６】
【図１】本考案の十字型柱体に方形定位板を組み合わせた実施例の立体図である。
【図２Ａ】本考案の十字型柱体に、多種の異なる位置に方形定位板を設置した実施例の平面図である。
【図２Ｂ】本考案の十字型柱体に、多種の異なる位置に方形定位板を設置した実施例の平面図である。
【図２Ｃ】本考案の十字型柱体に、多種の異なる位置に方形定位板を設置した実施例の平面図である。
【図２Ｄ】本考案の十字型柱体に、多種の異なる位置に方形定位板を設置した実施例の平面図である。
【図２Ｅ】本考案の十字型柱体に、多種の異なる位置に方形定位板を設置した実施例の平面図である。
【図２Ｆ】本考案の十字型柱体に、多種の異なる位置に方形定位板を設置した実施例の平面図である。
【図２Ｇ】本考案の十字型柱体に、多種の異なる位置に方形定位板を設置した実施例の平面図である。
【図２Ｈ】本考案の十字型柱体に、多種の異なる位置に方形定位板を設置した実施例の平面図である。
【図２Ｉ】本考案の十字型柱体に、多種の異なる位置に方形定位板を設置した実施例の平面図である。
【図２Ｊ】本考案の十字型柱体に、多種の異なる位置に方形定位板を設置した実施例の平面図である。
【図２Ｋ】本考案の十字型柱体に、多種の異なる位置に方形定位板を設置した実施例の平面図である。
【図３】本考案の複数の十字型柱体に複数のL字型柱体と複数の層板を組み合わせて、置物棚を構成する実施例の立体図である。
【図４】本考案のT字型柱体に三角形定位板を組み合わせた実施例の立体図である。
【図５】本考案のT字型柱体にL字型柱体と複数の層板を組み合わせて、置物棚の支柱とする実施例の立体図である。
【図６】本考案の四個のL字型柱体に方形定位板を組み合わせて、置物棚の支柱とする実施例の立体図である。
【図７】本考案の四個のL字型柱体に方形定位板を組み合わせて、置物棚の骨組みを構成すると共に、層板を設置する実施例の立体図である。
【実施例１】
【０００７】
図１は、本考案の柱体の第一実施例を示す図で、竹材により、端面が十字型で、四個の象限を有する十字型柱体１Aを製造し、実際の需要によって、適当な象限内で、複数の定位板２を固定する。例えば、図２Aで示されるように、各象限に定位板２を設置する。図２Bと図２Dで示されるように、対角の二個の象限内に、定位板２を設置する。図２C、図２E、図２G、および、図２Hで示されるように、三個の象限内に定位板２を設置する。或いは、図２F、図２I、図２J、および、図２Kで示されるように、一象限内だけに定位板２を設置する。
【実施例２】
【０００８】
図４は、本考案の柱体の第二実施例を示す図で、竹材により端面がT字型で、二個の象限を有するT字型柱体１Cを製造し、実際の需要によって、T字型柱体１Cの適当な象限内で、複数の定位板２を固定する。例えば、図４では、T字型柱体１Cの二個の象限に、複数の定位板２を設置している。
【実施例３】
【０００９】
図６は、本考案の柱体の第三実施例を示す図で、竹材により端面がL字型で、一個の象限を有するL字型柱体１Bを製造し、実際の需要によって、L字型柱体１Bの象限内で、複数の定位板２を固定する。
前述の定位板２は方形、三角形、或いは、その他の適当な幾何学形状である。
定位板２を組み合わせた柱体を利用し、図３で示されるように、複数の十字型柱体１Aと複数のL字型柱体１Bを組み合わせて、骨組みを構成し、その後、複数の層板３を直接、同一水平位置の定位板２上に設置して、置物棚を形成する。また、図５で示されるように、一個のT字型柱体１Cに、二個のL字型柱体１Bを組み合わせて、壁に取り付ける骨組みを構成し、その後、複数の層板３を直接、同一水平位置の定位板２上に設置してもよい。もちろん、装着時に、T字型柱体１CとL字型柱体１Bの数量は制限がなく、実際の需要に応じて決める。図６で示されるように、四個のL字型柱体１Bにより置物棚の四個の支承脚を構成し、その後、複数の層板３を直接、同一水平位置の定位板２上に設置して、図７で示されるような置物棚を形成することもできる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００１０】
十字型柱体１A
L字型柱体１B
T字型柱体１C
定位板２
層板３
【図１】
0003152820.tif 000003
【図２Ａ】
0003152820.tif 000004
【図２Ｂ】
0003152820.tif 000005
【図２Ｃ】
0003152820.tif 000006
【図２Ｄ】
0003152820.tif 000007
【図２Ｅ】
0003152820.tif 000008
【図２Ｆ】
0003152820.tif 000009
【図２Ｇ】
0003152820.tif 000010
【図２Ｈ】
0003152820.tif 000011
【図２Ｉ】
0003152820.tif 000012
【図２Ｊ】
0003152820.tif 000013
【図２Ｋ】
0003152820.tif 000014
【図３】
0003152820.tif 000015
【図４】
0003152820.tif 000016
【図５】
0003152820.tif 000017
【図６】
0003152820.tif 000018
【図７】
0003152820.tif 000019